(57)【特許請求の範囲】
【請求項１】
本体内に洗浄水を加熱する温水加熱装置と、洗浄水を人体局部に噴射して洗浄する洗浄ノズル装置と、前記温水加熱装置と洗浄ノズル装置の動作を制御する制御基板とを設け、前記制御基板は前記洗浄ノズル装置および温水加熱装置の上方に配置した基板ケースに収納し、前記基板ケースは、その底面に基板ケース内に膨出した下向きの凹部を設け、前記凹部内に洗浄ノズル装置の一部を位置させたことを特徴とするトイレ装置。
【請求項２】
基板ケースは、その内底面に凹部と対向して凸部を設け、前記凸部に制御基板の開口を嵌合させたことを特徴とする請求項１に記載のトイレ装置。
【請求項３】
基板ケースの凸部は、基板ケースの外周側面より高くしたことを特徴とする請求項２に記載のトイレ装置。
【請求項４】
基板ケースの凹部は、その側面の一部を基板ケースの外周側面において開口させたことを特徴とする請求項１〜請求項３のいずれかに記載のトイレ装置。
【発明の詳細な説明】
【０００１】
【発明の属する技術分野】
本発明は、便器等の上に設けて使用し、用便後の人体局部を温水で洗浄する機能を備えたトイレ装置に関する。
【０００２】
【従来の技術】
この種従来のトイレ装置は、図５、図６に示すような構成を採用している。すなわち、５１は底板の基板５１ａと上から被せるケース５１ｂからなる横長の本体で、内部に用便後の人体局部に温水を噴射して洗浄する局部洗浄装置５２、洗浄後の濡れた人体局部に温風を当て乾燥させる乾燥装置５３、便器５４内に漂う臭いを空気とともに吸気して脱臭し、清浄化した空気のみを排気する脱臭装置５５等を内装し、便器５４の後端部上に横長に設けて使用するものである。
【０００３】
局部洗浄装置５３は洗浄水を加熱する温水加熱装置５６と洗浄水を人体局部に噴射して
洗浄する洗浄ノズル装置５７を有する。また、乾燥装置５３は空気を吸引して送る送風ファン５８と空気を加熱する加熱手段５９を有する。そして、脱臭装置５５は吸気ファン６０と脱臭剤６１を有する。６２は温水加熱装置５６、洗浄ノズル装置５７、乾燥装置５３、脱臭装置５５等の動作を制御する制御回路を印刷している横長のプリント基板等の制御基板で、横長の基板ケース６３に収納し、かつ表面に充填材６４を施して本体５１内の上方に配置している。
【０００４】
基板ケース６３は上面を開放した皿状を成し、本体５１の略中央部に前端部を下に、後端部を上に傾斜させて並設しているビデ洗浄用と肛門洗浄用の２つの洗浄ノズル装置５７の後端部を逃げるため大きな切欠き凹部６５を途中に有している。従って、基板ケース６３に収納した制御基板６２も、基板ケース６３と類似して途中に切欠き凹部６６を設けている。６７は便座で、６８は洗浄水を洗浄ノズル５７に送るホースである。
【０００５】
このようなトイレ装置において、横長の制御基板６２および基板ケース６３は、共に大きな切欠き凹部６５、６６を横長の途中に有しているため強度的に弱くなり、組立て等の作業において破損しないよう取扱いに注意が必要である。特に、基板ケース６３は制御基板６２を収納している関係上から、切欠き凹部６５による強度の弱さを考慮した基板５１ａへの取付け、例えば取付け箇所を多くする等の必要があった。
【０００６】
【発明が解決しようとする課題】
上記従来技術の問題点に鑑み、本発明が解決しようとする課題は、基板ケース等の強度を確保し、組立て作業のし易いトイレ装置を提供することを目的とする。
【０００７】
【課題を解決するための手段】
本発明のトイレ装置は、本体内に洗浄水を加熱する温水加熱装置と、洗浄水を人体局部に噴射して洗浄する洗浄ノズル装置と、前記温水加熱装置と洗浄ノズル装置の動作を制御する制御基板とを設け、前記制御基板は前記洗浄ノズル装置および温水加熱装置の上方に配置した基板ケースに収納し、前記基板ケースは、その底面に基板ケース内に膨出した下向きの凹部を設け、前記凹部内に洗浄ノズル装置の一部を位置させたもので、洗浄ノズル装置および温水加熱装置等の水回りに水漏れ等の不具合が起きても、上方に位置する基板ケースの底面に当って遮られ、基板ケース内に流入する等の不具合を避けられるとともに、洗浄ノズル装置の一部を、基板ケースの底面の下向き凹部に逃げ込ませられるので、洗浄ノズル装置を傾斜させて設置したとしても、洗浄ノズル装置の奥行きの確保を最大限に行なうことが可能になるとともに、本体の高さ方向に占める割合も小さくすることが可能になるものである。
【０００８】
【発明の実施の形態】
本発明の請求項１に記載の発明は、本体内に洗浄水を加熱する温水加熱装置と、洗浄水を人体局部に噴射して洗浄する洗浄ノズル装置と、前記温水加熱装置と洗浄ノズル装置の動作を制御する制御基板とを設け、前記制御基板は前記洗浄ノズル装置および温水加熱装置の上方に配置した基板ケースに収納し、前記基板ケースは、その底面に基板ケース内に膨出した下向きの凹部を設け、前記凹部内に洗浄ノズル装置の一部を位置させたことを特徴とするトイレ装置で、洗浄ノズル装置の一部を、基板ケースの底面の下向き凹部に逃げ込ませられるので、洗浄ノズル装置を傾斜させて設置したとしても、洗浄ノズル装置の奥行きの確保を最大限に行なうことが可能になるとともに、本体の高さ方向に占める割合も小さくすることが可能になる。また、洗浄ノズル装置および温水加熱装置等の水回りに水漏れ等の不具合が起きても、上方に位置する基板ケースの底面に当って遮られ、基板ケース内に流入する等の不具合を避けられるものである。
【０００９】
請求項２に記載の発明は、請求項１に記載の基板ケースにおいて、その内底面に凹部と
対向して凸部を設け、前記凸部に制御基板の開口を嵌合させたトイレ装置で、凸部は制御基板の位置決めに利用することが可能になり、かつ凹部を利用して形成することも可能になる。また、凸部上を部品等の配置に利用することも可能で、かつ充填材の流し込みも容易に行なえる。
【００１０】
請求項３に記載の発明は、請求項２に記載の基板ケースの凸部を、基板ケースの外周側面より高くしたトイレ装置で、凸部は基板ケースの外周側面より高くしたことにより、洗浄ノズル装置の一部を逃げ込ませる、基板ケース底面の下向き凹部を最大限に大きくでき、洗浄ノズル装置の奥行きの確保を最大限に行なうことが可能になる。
【００１１】
請求項４に記載の発明は、請求項１〜請求項３のいずれかに記載の基板ケースの凹部において、その側面の一部を基板ケースの外周側面において開口させたトイレ装置で、凹部は基板ケースの外周側面に臨む開口を見ながら洗浄ノズル装置との位置合わせが容易に可能になる。
【００１２】
【実施例】
以下本発明のトイレ装置につき、図面に従い説明する。
【００１３】
（実施例１）
図１は本発明の実施例１におけるトイレ装置のケースの要部を切り欠いて示す上面図で、図２はトイレ装置のケースの要部を切り欠いて示す概略側断面図で、図３はトイレ装置のケースを除き、制御基板と基板ケース部分の分解を示す斜視図である。
【００１４】
１は用便後の人体局部に加熱した洗浄水を噴射して洗うビデ洗浄用と肛門洗浄用の複数の洗浄ノズル装置２および前記洗浄水を加熱する温水加熱装置３を有する局部洗浄装置４と、洗浄後の濡れた人体局部に温風を当て乾燥させる乾燥装置５と、便器６内の臭いを空気とともに吸引し、清浄化した空気を排気する脱臭装置７とを内装した横長の本体で、底板である基板１ａと上から着脱可能に被せた山形状のケース１ｂで構成し、便器６の後端部上に横長に設けている。
【００１５】
８は本体１に両端を軸支して上下方向へ回動自在に便器６上に載せた便座である。そして、本体１は局部洗浄装置４の洗浄ノズル装置２を本体１の中央部に、一定距離を流れる間に水を所定温度に加熱する瞬間式の温水加熱装置３と乾燥装置５を集中して一方である本体左側に、脱臭装置７を単独で他方である本体右側にそれぞれ配置している。乾燥装置５は空気を吸引して送る送風ファン９と空気を加熱する加熱手段１０を有する。また、脱臭装置７は吸気ファン１１と脱臭剤１２を有する。
【００１６】
１３は洗浄ノズル装置２、温水加熱装置３、乾燥装置５、脱臭装置７等の動作を制御する制御回路を印刷している横長のプリント基板等の制御基板、１４は上面を開放した略皿状の容器に形成し、内底面に制御基板１３を収納した合成樹脂製の基板ケースで、本体１の略中央部に前端部を下に、後端部を上に傾斜させて並設している２つの洗浄ノズル装置２の後端部２ａに当るのを避けるため、内底面の途中を上方へ膨出させて凸部１５を兼ねた下向きの凹部１５ａを外底面に設けている。従って、基板ケース１４に収納した制御基板１３も、基板ケース１３の凸部１５に嵌合する開口１３ａを設けている。
【００１７】
基板ケース１４は、洗浄ノズル装置２、温水加熱装置３等の上方に略水平に配置し、かつ洗浄ノズル装置２の一部である後端部２ａを図２に示すように凹部１５ａ内に位置させて本体１内の基板１ａ等に固定している。１６は制御基板１３を収納した基板ケース１４内に湿気等が入らないように制御基板１３上から流し込んだコーティング材である。１７は洗浄水を洗浄ノズル装置２に送るホース、１８は脱臭装置７の排気口、１９は手洗い機能付のロータンクである。
【００１８】
上記実施例において、制御基板１３は開口１３ａを基板ケース１４の凸部１５に位置合わせ嵌合して基板ケース１４に収納し、上からコーティング材１６を流し込んで形成する。そして、このような基板ケース１４は、洗浄ノズル装置２の後端部２ａを凹部１５ａ内に位置するように合わせて洗浄ノズル装置２、温水加熱装置３等の上方に略水平に配置して所定箇所に固定する。従って、洗浄ノズル装置２、ホース１７、温水加熱装置３等は基板ケース１４の底面の下方に位置する。
【００１９】
以上のように本実施例では、制御基板１３および基板ケース１４には従来例のもののように切欠き凹部が途中にないので、堅牢で取り扱いが容易になり、制御基板１３に印刷した制御回路を安全に護り、かつ組立て易くできるとともに、洗浄ノズル装置２、ホース１７、温水加熱装置３等の水回りの上方に基板ケース１４が位置するので、水回りより水が漏れて上方へ噴出したとしても基板ケース１４の底面に当って遮られ、基板ケース１４内に流入するのを防止できる。また、基板ケース１４は従来例のもののように途中に切欠き凹部がないので、流し込んだコーティング材１６が全体へ円滑に流れ、容易にコーティング材１６を施すことができる。
【００２０】
また本実施例では、制御基板１３が洗浄ノズル装置２の左右に延びて大きな面積を確保しているので、制御回路を容易に設けることができる。
【００２１】
更に本実施例では、洗浄ノズル装置２の後端部２ａを、基板ケース１４の凹部１５ａに逃げ込ませられるので、傾斜させて設置している洗浄ノズル装置２の奥行きの確保を最大限にでき、従って本体１の奥行幅および高さ方向に占める割合を小さくでき、本体１のコンパクト化に貢献できる。
【００２２】
また本実施例では、凹部１５ａを利用して凸部１５を基板ケース１４の内底面に形成しているので、凸部を簡単に形成できるとともに、制御基板１３の位置決めに利用することができ、更には凸部上を部品等の配置に利用することも可能で、かつコーティング材１６の流し込みも容易に行なえる。
【００２３】
なお、上記実施例では、凸部１５を基板ケース１４の外周側面の高さと略等しい高さに設定しているが、基板ケース１４の外周側面の高さより高くしても良いものであり、この場合には凹部１５ａを最大限に大きくでき、洗浄ノズル装置の奥行きの確保を最大限に行なうことが可能になる。
【００２４】
（実施例２）
図４は本発明の実施例２におけるトイレ装置の制御基板と基板ケースの分解斜視図である。本実施例は、制御基板と基板ケースの形が実施例１の発明と異なるだけで、それ以外の同一構成および作用効果を奏する部分は図１、図２を利用して詳細な説明を省略し、異なる処を中心に説明する。
【００２５】
基板ケース４４の凹部４５ａは、その側面の一部４５ｂを基板ケース４４の外周側面である前側面４４ａにおいて開口させたものである。制御基板４３は、基板ケース４４内に膨出した凹部４５ａに合わせて凹欠部４３ａを設けている。
【００２６】
従って、実施例１と同じように洗浄ノズル装置２の後端部２ａを、凹部４５ａに逃げ込ませられるので、傾斜させて設置している洗浄ノズル装置２の奥行きの確保を最大限にできることはもちろん、更に基板ケース４４の前側面４４ａに臨む開口４５ｂを見ながら洗浄ノズル装置２との位置合わせが行なえ、基板ケース４４の設置を容易にできる。
【００２７】
【発明の効果】
以上のように本発明のトイレ装置は、制御回路を安全に護り、そして有利に設けられ、かつ組立て易くできるとともに、効果的に水による不具合を防止できる。
【図面の簡単な説明】
【図１】  本発明の実施例１におけるトイレ装置を示す要部を切り欠いた上面図
【図２】  同実施例１におけるトイレ装置を示す要部を切り欠いた概略側断面図
【図３】  同実施例１におけるトイレ装置の要部分解を示す斜視図
【図４】  本発明の実施例２におけるトイレ装置の要部分解を示す斜視図
【図５】  従来例におけるトイレ装置を示す要部を切り欠いた上面図
【図６】  同トイレ装置を示す要部を切り欠いた概略側断面図
【符号の説明】
１  本体
２  洗浄ノズル装置
３  温水加熱装置
１３  制御基板
１３ａ  開口
１４、４４  基板ケース
１５  凸部
１５ａ、４５ａ  凹部
４３ａ  凹欠部
４４ａ  前側面（外周側面）
４５ｂ  開口（一部）
【図１】
0004416985.tif 000002
【図２】
0004416985.tif 000003
【図３】
0004416985.tif 000004
【図４】
0004416985.tif 000005
【図５】
0004416985.tif 000006
【図６】
0004416985.tif 000007